(57)【要約】【課題】転写ユニットの転写部材が像担持体に当接しないようにドアを閉じることが可能な画像形成装置の提供。【解決手段】画像形成装置１は、装置本体２０と、感光体ドラム４と、ドア２１と、ドア２１に搭載されている転写ベルト８０を備えた転写ユニット８と、作動用レバー３０とを具備する。転写ユニット８を搭載したドア２１を開放することで、作動用レバー３０が転写ユニット８の転写ベルト８０を感光体ドラム４から強制的に離間させる。また、作動用レバー３０は、開放されたドア２１を閉じる際に、転写ユニット８の転写ベルト８０が感光体ドラム４に当接しないように制御する。【選択図】        図１
2005004132.tif 000002
【特許請求の範囲】
【請求項１】
トナー画像が形成される像担持体に転写部材を当接させ、前記像担持体上に形成された前記トナー画像を記録部材に転写して画像形成を行う画像形成装置であって、
装置本体と、前記装置本体に配置され、前記トナー画像を担持する前記像担持体と、前記装置本体に開閉可能に配置されたドアと、前記ドアに搭載され、前記像担持体に離接可能な前記転写部材を備えた転写ユニットと、前記ドアを開放することで、前記転写ユニットの前記転写部材を前記像担持体から強制的に離間させる離間手段とを具備し、前記離間手段は、開放された前記ドアを閉じる際に、前記転写ユニットの前記転写部材が前記像担持体に当接しないように制御することを特徴とする画像形成装置。
【請求項２】
上記離間手段は、上記ドアを閉じた後に、上記転写ユニットの上記転写部材の上記像担持体に対する当接が行われるように制御する請求項１に記載の画像形成装置。
【請求項３】
さらに、上記転写ユニットの上記転写部材を上記像担持体に対して離接させる離接手段を具備し、前記離接手段は、上記離間手段を動作させることにより、前記転写ユニットの前記転写部材が前記像担持体に対して当接するように制御を行う請求項１または２に記載の画像形成装置。
【請求項４】
さらに、上記離接手段を動作させるための駆動源を具備している請求項１乃至３のいずれかに記載の画像形成装置。
【請求項５】
さらに、上記ドアの開閉を検出するためのドア開閉検出手段を具備し、前記ドア開閉検出手段は、前記ドアが開放されたことを検出した場合、前記ドア開閉検出手段により検出されたドア開放の検出信号に応じて上記転写ユニットの上記転写部材が上記像担持体から離間するように上記離接手段を動作させ、前記ドアが閉じられたことを検出した場合、前記ドア開閉検出手段により検出されたドア閉じの検出信号に応じて前記転写ユニットの前記転写部材が前記像担持体に対して当接するように前記離接手段を動作させる請求項１乃至４のいずれかに記載の画像形成装置。
【請求項６】
さらに、上記転写ユニットの上記転写部材を上記像担持体に対して当接する際の衝撃を緩和するための緩衝手段を具備している請求項１乃至５のいずれかに記載の画像形成装置。
【請求項７】
上記離接手段は、上記転写部材を備えた上記転写ユニットを上記離間手段の動作に伴って上記像担持体に対して移動させることで、前記転写ユニットの前記転写部材を上記像担持体に対して離接させる請求項１乃至６のいずれかに記載の画像形成装置。
【請求項８】
さらに、上記転写部材を備えた上記転写ユニットを上記像担持体に向って付勢する付勢手段を具備し、前記付勢手段は、上記緩衝手段をフリーな状態に復帰させるための復帰力よりも大きな付勢力を有している請求項１乃至７のいずれかに記載の画像形成装置。
【発明の詳細な説明】
【０００１】
【発明の属する技術分野】
本発明は、プリンタ，ファクシミリ，複写機などの画像形成装置に関するものである。
【０００２】
【従来の技術】
像担持体上に形成されたトナー像を転写部材によって記録部材に転写したり、または転写ベルトに転写し、さらに記録部材（シート）に転写したりして画像を形成する電子写真方式の画像形成装置は、従来から公知である。
【０００３】
多くの転写ユニットは、例えば、特許文献１に開示された従来の画像形成装置に見られるように、マシン本体内に装着されている。
【０００４】
転写部材の離間には、電動方式の離接機構が用いられており、転写部材と像担持体との当接動作を電源ＯＦＦ時やジャム時などに行われている。
そして、外装カバーを開放させた後に、ジャム処理などを行うことができるようになっている。
【０００５】
また、手動式の離接機構を用いているものでは、外装カバーを開放した後、レバーなどで動作させる離接機構を用い、転写部材を像担持体より離間させ、場合によっては、さらに転写部材を引き出し、ジャム処理などを行うことができるようになっている。
【０００６】
【特許文献１】
特開平１０−３０１４６２号公報
【０００７】
【発明が解決しようとする課題】
しかしながら、特許文献１に開示された従来の画像形成装置では、転写ユニットがドアに搭載されておらず、ドアを開放後に、レバーなどを手動で操作して、転写ユニットを像担持体から離間させる構成であり、転写ユニット上に滞留する用紙を取り出しジャム処理を行ったり、転写ユニットのメンテナンスを行ったりするために、転写ユニットを機外に引き出す場合に、まず、ドアを開放し、次に、レバーを操作して転写ユニットを像担持体から離間させ、その後、転写ユニットを機外に引き出すことになる。
したがって、転写ユニットの機外への引き出しが、３アクションとなり、手数が増えるが、転写ユニットに備えられている転写部材を像担持体に強く衝突させることはあまり起こらない。
【０００８】
ところが、特許文献１に開示された転写部材を含む転写ユニットがドアに搭載されている画像形成装置では、ドアを開放した後、ドアを閉じる時に、転写ユニットが像担持体に向って移動するために、像担持体に転写ユニットの転写部材が衝突し、像担持体と転写ユニットの転写部材の双方にダメージを与えることが少なくない。
特に、ドアを勢いよく閉じた場合には、かなり大きなショックが像担持体と転写ユニットの転写部材の双方に与えられることになる。
【０００９】
ドアの開閉は、ジャムなどのトラブルが発生した場合やメンテナンスの場合に行われるが、動作中に誤ってドアが開閉される場合もある。
このような場合に、例えば、ジャムなどのトラブルが発生したことをトリガとして、転写ユニットの転写部材が像担持体より離間するように制御される場合は、トラブルの発生がない場合には、転写ユニットの転写部材が像担持体に対して離間されていない状態で、ドアが閉じられ、像担持体と転写ユニットの転写部材の双方に大きなショックが与えられることが起こると言う問題がある。
【００１０】
本発明は、上記の問題点に鑑みなされたものであり、開放されたドアを閉じる際に、転写ユニットの転写部材が像担持体に当接しないようにドアを閉じることができ、ドアを閉じる際に生じる転写ユニットの転写部材と像担持体との強接触を回避し、像担持体及び転写ユニットの転写部材の双方に大きなショックが与えられることもなく、像担持体や転写ユニットの転写部材の損傷を避けることができ、像担持体の寿命を長く保ち、良好な画像形成を長期間維持することが可能な画像形成装置を提供することを目的とする。
【００１１】
【課題を解決するための手段】
本発明の画像形成装置は、トナー画像が形成される像担持体に転写部材を当接させ、前記像担持体上に形成された前記トナー画像を記録部材に転写して画像形成を行う画像形成装置であって、装置本体と、前記装置本体に配置され、前記トナー画像を担持する前記像担持体と、前記装置本体に開閉可能に配置されたドアと、前記ドアに搭載され、前記像担持体に離接可能な前記転写部材を備えた転写ユニットと、前記ドアを開放することで、前記転写ユニットの前記転写部材を前記像担持体から強制的に離間させる離間手段とを具備し、前記離間手段が、開放された前記ドアを閉じる際に、前記転写ユニットの前記転写部材が前記像担持体に当接しないように制御することを特徴とする構成を有するものである。
【００１２】
上記に記載の本発明によれば、ジャムなどの発生が原因で、像担持体上や定着ユニット上に滞留している記録部材（シート）を取り除く際は、転写ユニットが搭載されたドアを開放する必要がある。
ジャム発生によって、像担持体上にはキャリアが多く浮遊する。
このような条件下で、ドアを強く閉めると、転写ユニットの転写部材が像担持体に強く当接し（衝突し）、現像剤に含まれるキャリアなどにより像担持体や転写ユニットの転写部材を傷付け、転写過程において、トナー画像の転写不良が生じ、画質が低下する問題が発生するが、ドアを閉じる時に、転写ユニットの転写部材が像担持体に接触（衝突）しないようにドアを閉じることができるので、像担持体や転写ユニットの転写部材の損傷を避け、トナー画像の転写不良も避けることができ、良好な画質を維持でき、像担持体の高寿命・高信頼度を実現できる。
【００１３】
本発明の画像形成装置は、上記離間手段が、上記ドアを閉じた後に、上記転写ユニットの上記転写部材の上記像担持体に対する当接が行われるように制御する。
【００１４】
上記に記載の本発明では、転写ユニットの転写部材と像担持体との当接は、ドアを閉じた後に行われる。
【００１５】
上記に記載の本発明によれば、ドアを閉じた時に発生する衝撃を像担持体や転写ユニットの転写部材に与えることなく、ドアが閉じられた後に、転写ユニットの転写部材が像担持体に当接するので、像担持体と転写ユニットの転写部材との当接のショックが和らぐようにコントロールすることができる。
【００１６】
本発明の画像形成装置は、さらに、上記転写ユニットの上記転写部材を上記像担持体に対して離接させる離接手段を具備し、前記離接手段が、上記離間手段を動作させることにより、前記転写ユニットの前記転写部材が前記像担持体に対して当接するように制御を行う。
【００１７】
上記に記載の本発明によれば、転写ユニットの転写部材を像担持体に離接させる離接手段により、ドアが閉じられた後に、タイミングを取って像担持体と転写ユニットの転写部材とを当接させることができるので、像担持体と転写ユニットの転写部材との当接時のショックを和らげることができる。
【００１８】
本発明の画像形成装置は、さらに、上記離接手段を動作させるための駆動源を具備している。
【００１９】
上記に記載の本発明では、駆動源としてモータを用いている。
【００２０】
上記に記載の本発明によれば、駆動源としてモータを用いることで、離接手段をゆっくり動作させることができるので、像担持体と転写ユニットの転写部材との当接を徐々にゆっくりと行うことができ、像担持体と転写ユニットの転写部材との双方にショックをほとんど／まったく与えずに、像担持体と転写ユニットの転写部材との当接を行うことができる。
【００２１】
本発明の画像形成装置は、さらに、上記ドアの開閉を検出するためのドア開閉検出手段を具備し、前記ドア開閉検出手段が、前記ドアが開放されたことを検出した場合、前記ドア開閉検出手段により検出されたドア開放の検出信号に応じて上記転写ユニットの上記転写部材が上記像担持体から離間するように上記離接手段を動作させ、前記ドアが閉じられたことを検出した場合、前記ドア開閉検出手段により検出されたドア閉じの検出信号に応じて前記転写ユニットの前記転写部材が前記像担持体に対して当接するように前記離接手段を動作させる。
【００２２】
上記に記載の本発明によれば、ドア開閉検出手段がドアの開閉を監視し、ユーザーが如何なる要因でドアを開けても、ドアを閉める際には、必ず転写ユニットの転写部材は像担持体から離間する位置に退避しているので、像担持体と転写ユニットの転写部材との強い当接を避けることができる。
【００２３】
本発明の画像形成装置は、さらに、上記転写ユニットの上記転写部材を上記像担持体に対して当接する際の衝撃を緩和するための緩衝手段を具備している。
【００２４】
上記に記載の本発明では、緩衝手段として空気ダンパ装置を用いている。
【００２５】
上記に記載の本発明によれば、緩衝手段として空気ダンパ装置を用いることで、ドアを閉じる時に、緩衝手段により転写ユニットの転写部材と像担持体とが当接しないように離間させることができ、ドアが閉じた後に、転写ユニットの転写部材と像担持体とをショックを与えずにゆっくり当接させることができるだけでなく、画像形成装置が通電されていない場合であっても、緩衝手段が確実に動作するので、如何なる場合でも、ドアの開閉により転写ユニットの転写部材と像担持体との衝突を避けることができる。
また、構成が単純であり、低コストで実現できる。
【００２６】
本発明の画像形成装置は、上記離接手段が、上記転写部材を備えた上記転写ユニットを上記離間手段の動作に伴って上記像担持体に対して移動させることで、前記転写ユニットの前記転写部材を上記像担持体に対して離接させる。
【００２７】
上記に記載の本発明では、像担持体と転写ユニットの転写部材との離接は、転写ユニットを像担持体に対して移動させることで、像担持体から転写ユニットの転写部材を離接させる。
【００２８】
上記に記載の本発明によれば、転写ユニットの転写部材は、像担持体に対して所定の圧力で当接され、高電圧の転写バイアスが印加されており、画像の品質を左右するものであり、その転写部材に対して直接ショックが与えられるような構成をとることは不利であるのに対して、しっかりとした転写部材を支持する転写ユニットを像担持体に対して離接させるので、像担持体に対しての転写ユニットの転写部材の当接力などを適正に維持することができる。
【００２９】
本発明の画像形成装置は、さらに、上記転写部材を備えた上記転写ユニットを上記像担持体に向って付勢する付勢手段を具備し、前記付勢手段が、上記緩衝手段をフリーな状態に復帰させるための復帰力よりも大きな付勢力を有している。
【００３０】
上記に記載の本発明では、緩衝手段にはフリーな状態に復帰するための復帰力が働く構成であり、転写ユニットを像担持体側に付勢する付勢手段の付勢力の方が、緩衝手段の復帰力よりも大幅に大きい。
【００３１】
上記に記載の本発明によれば、緩衝手段の復帰力を転写ユニットが像担持体に向って付勢する付勢手段の付勢力よりも比べものにならないくらい小さくすることにより、転写ユニットの像担持体に対する位置決めが確実に行え、像担持体に対して転写ユニットの転写部材の当接力を正しく与えることができ、良好な画像形成を行える。
【００３２】
【発明の実施の形態】
本発明の実施の一形態について、図面に基づいて以下に詳細に説明する。
本発明の画像形成装置１は、トナー画像が形成される像担持体である感光体ドラム４に転写部材である転写ベルト８０を当接させ、感光体ドラム４上に形成されたトナー画像を記録部材となる記録媒体としての用紙Ｐに転写して画像形成を行うものである。
本発明の画像形成装置１は、装置本体２０と、装置本体２０に配置され、トナー画像を担持する感光体ドラム４と、装置本体２０に開閉可能に配置されたドア２１と、ドア２１に搭載され、感光体ドラム４に離接可能な転写部材である転写ベルト８０を備えた転写ユニット８と、ドア２１を開放することで、転写ユニット８の転写ベルト８０を感光体ドラム４から強制的に離間させる離間手段である作動用レバー３０とを具備し、板金製の作動用レバー３０が、開放されたドア２１を閉じる際に、転写ユニット８の転写ベルト８０が感光体ドラム４に当接しないように制御する。
【００３３】
本発明の画像形成装置１は、作動用レバー３０が、ドア２１を閉じた後に、転写ユニット８の転写ベルト８０の感光体ドラム４に対する当接が行われるように制御する。
【００３４】
本発明の画像形成装置１は、さらに、転写ユニット８の転写ベルト８０を感光体ドラム４に対して離接させる離接手段である離接機構３５を具備し、離接機構３５が、作動用レバー３０を動作させることにより、転写ユニット８の転写ベルト８０が感光体ドラム４に対して当接するように制御を行う。
【００３５】
本発明の画像形成装置１は、さらに、離接機構３５を動作させるための駆動源となるモータＭを具備している。
【００３６】
本発明の画像形成装置１は、さらに、ドア２１の開閉を検出するためのドア開閉検出手段となるドロアースイッチＳＷを具備し、ドロアースイッチＳＷが、ドア２１が開放されたことを検出した場合、ドロアースイッチＳＷにより検出されたドア開放の検出信号に応じて転写ユニット８の転写ベルト８０が感光体ドラム４から離間するように離接機構３５を動作させ、ドア２１が閉じられたことを検出した場合、ドロアースイッチＳＷにより検出されたドア閉じの検出信号に応じて転写ユニット８の転写ベルト８０が感光体ドラム４に対して当接するように離接機構３５を動作させる。
【００３７】
本発明の画像形成装置１は、さらに、転写ユニット８の転写ベルト８０を感光体ドラム４に対して当接する際の衝撃を緩和するための緩衝手段となる空気ダンパ装置５０を具備している。
【００３８】
本発明の画像形成装置１は、離接機構３５が、転写ベルト８０を備えた転写ユニット８を作動用レバー３０の動作に伴って感光体ドラム４に対して移動させることで、転写ユニット８の転写ベルト８０を感光体ドラム４に対して離接させる。
【００３９】
本発明の画像形成装置１は、さらに、転写ベルト８０を備えた転写ユニット８を感光体ドラム４に向って付勢する付勢手段である押圧スプリング６０を具備し、押圧スプリング６０が、空気ダンパ装置５０をフリーな状態に復帰させるための復帰力よりも大きな付勢力を有している。
【００４０】
本発明の一実施形態について、図１に基づいて説明すれば、以下の通りである。
図１は、本発明に係る一実施形態の転写ユニットの転写部材が転写ベルトの場合の画像形成装置の概略断面を示す構成図である。
図１に示すように、本実施の形態の画像形成装置１は、画像形成部となるプリンタ部２と、プリンタ部２の下に配置された給紙部となる給紙ユニット部３とを備えている。
また、画像形成装置１は、プリンタ部２の略中央の位置に、感光体ドラム４を中心とする電子写真プロセス部２７が配置されている。
【００４１】
すなわち、画像形成装置１のプリンタ部２には、感光体ドラム４を中心としてその周囲に、帯電ユニット５と、光走査ユニット６と、現像ユニット７と、転写ユニット８と、クリーニングユニット９とが配置されている。
【００４２】
帯電ユニット５は、感光体ドラム４の表面を均一に帯電させるものである。
【００４３】
光走査ユニット６は、均一に帯電された感光体ドラム４上に光像を走査して静電潜像を書き込むものである。
【００４４】
現像ユニット７は、光走査ユニット６により書き込まれた静電潜像を現像剤により顕像化するものである。
【００４５】
転写ユニット８は、感光体ドラム４上に記録再現されたトナー画像を記録媒体となる用紙Ｐ上に転写するものである。
【００４６】
クリーニングユニット９は、感光体ドラム４上に残留した現像剤を除去して、感光体ドラム４上に新たなトナー画像を記録することができるようにするものである。
【００４７】
また、画像形成装置１のプリンタ部２には、現像剤供給部１０と、一対のレジストローラ２８と、定着ユニット２９が配置されている。
【００４８】
現像剤供給部１０は、現像ユニット７に現像剤を供給するものである。
【００４９】
一対のレジストローラ２８は、記録媒体供給部からの用紙Ｐを感光体ドラム４と転写ユニット８の転写ベルト８０との間に給紙するものである。
【００５０】
定着ユニット２９は、転写ユニット８によって転写されたトナー画像を用紙Ｐに定着させるものである。
【００５１】
なお、このクリーニングユニット９により除去された残留現像剤は、現像ユニット７の現像剤供給部１０に回収され、リサイクルされる。
【００５２】
なお、本発明の画像形成装置は、このように残留現像剤をリサイクルするプロセスを備えているものに限定されるものではなく、残留現像剤を回収して廃棄する画像形成装置をも含むものである。
【００５３】
次に、画像形成装置１の給紙ユニット部３について説明する。
画像形成装置１の給紙ユニット部３は、記録媒体供給部となる複数の給紙トレイ１１，１２，１３，１４を備えている。
これらの給紙トレイ１１，１２，１３，１４を備えていることにより、給紙ユニット部３は、記録媒体としての多彩な用紙を、例えば、サイズ毎に分別して収容することができる。
【００５４】
そして、画像形成装置１は、これらの給紙トレイ１１，１２，１３，１４の中から１つのトレイを選択する。
【００５５】
さらに、画像形成装置１は、この選択された１つのトレイから用紙Ｐを１枚ずつ分離し、用紙Ｐを感光体ドラム４と転写ユニット８の転写ベルト８０との間に供給する。
そして、転写ユニット８は、供給された用紙Ｐに、感光体ドラム４上に記録再現されたトナー画像を転写する。
【００５６】
ここで、給紙トレイ１１，１２，１３，１４について、より具体的に説明する。
第１の記録媒体供給部である給紙トレイ１１と第２の記録媒体供給部である給紙トレイ１２とは、互いに並列に配置されている。
そして、給紙トレイ１１及び給紙トレイ１２の下側には、第３の記録媒体供給部である給紙トレイ１３が配置されており、さらに、給紙トレイ１３の下側には第４の記録媒体供給部である給紙トレイ１４が配置されている。
【００５７】
また、給紙トレイ１３及び給紙トレイ１４の容量は、同程度の容量とされている。
さらに、給紙トレイ１１及び給紙トレイ１２の容量は、給紙トレイ１３あるいは給紙トレイ１４の容量よりも大きく設定されている。
【００５８】
そして、画像形成装置１の給紙ユニット部３は、給紙トレイ１１，１２，１３，１４に収容された用紙Ｐをプリンタ部２に向って搬送するために、第１搬送経路１５と、第２搬送経路１６とを備えている。
なお、第１搬送経路１５は、給紙トレイ１１，１３，１４に収容された用紙Ｐをプリンタ部２に向って搬送するものであり、第２搬送経路１６は、給紙トレイ１２に収容された用紙Ｐをプリンタ部２に向って搬送するものである。
【００５９】
画像形成装置１の給紙ユニット部３は、フレーム１７を備えている。
また、第１搬送経路１５は、給紙ユニット部３のフレーム１７に沿って鉛直方向に延びている。
一方、第２搬送経路１６は、給紙ユニット部３のフレーム１７に沿って水平方向に延びている。
【００６０】
したがって、画像形成装置１の給紙ユニット部３の内部では、給紙トレイ１１，１２，１３，１４と、第１搬送経路１５と、第２搬送経路１６とが効率良く配置されており、給紙ユニット部３の省スペース化が実現されている。
【００６１】
なお、各給紙トレイ１１，１２，１３，１４に用紙Ｐをセットする場合は、画像形成装置１の装置本体２０の前面側方向に目的の給紙トレイ１１，１２，１３，１４を引き出して用紙Ｐの補給を行う。
【００６２】
各搬送経路１５，１６，１９、一対のレジストローラ２８の上流、定着ユニット２９の上下流には、用紙Ｐの搬送状態を検知する用紙搬送検知センサ９０が配設されている。
【００６３】
ところで、画像形成装置１の給紙ユニット部３の第１搬送経路１５中にて用紙Ｐが詰まった場合は、第１搬送経路１５を構成するガイド１５ａ（図１中斜線部で示す）を、給紙ユニット部３の奥側を支点としてユーザーの手前側に回動する。
これにより、第１搬送経路１５中で詰まった用紙Ｐを取り除くことができる。
【００６４】
なお、この除去操作は、第１搬送経路１５とフレーム１７との間に予め確保されている作業空間を用いて行う。
【００６５】
また、画像形成装置１の給紙ユニット部３の第２搬送経路１６中にて用紙Ｐが詰まった場合も、第２搬送経路１６を構成するガイド１６ａ（図１中斜線部で示す）を、給紙ユニット部３の奥側を支点としてユーザーの手前側に回動する。
これにより、第２搬送経路１６中で詰まった用紙Ｐを取り除くことができる。
【００６６】
なお、この除去操作（復帰作業）は、並列に配置された給紙トレイ１１及び給紙トレイ１２をユーザーの手前側に引き出すことにより、第２搬送経路１６の下方に作業空間を確保した上で行うこととなる。
【００６７】
なお、本実施の形態の画像形成装置１では、並列に配置された給紙トレイ１１及び給紙トレイ１２を同時に引き出すことができる構成としているが、必ずしもこの構成に限定されるものではなく、それぞれの給紙トレイ１１及び給紙トレイ１２を独立して引き出せる構成としても良い。
この場合、給紙トレイ１１を手前側に引き出すことにより、第２搬送経路１６中に詰まった用紙Ｐを取り除くための作業空間を、第２搬送経路１６の下方に確保すれば良い。
【００６８】
画像形成装置１のプリンタ部２は、第５の記録媒体供給部となる手差し給紙ユニット１８を備えている。
【００６９】
そして、画像形成装置１のプリンタ部２は、手差し給紙ユニット１８にセットされた用紙Ｐを給紙ユニット部３の第２搬送経路１６に向って搬送するために、第３搬送経路１９を備えている。
【００７０】
この手差し給紙ユニット１８には、どちらかというと特殊な用紙Ｐがセットされる可能性が高く、手差し給紙ユニット１８に対して手軽に用紙Ｐの交換あるいはセットができるようになっており、第３搬送経路１９から第２搬送経路１６を介して用紙Ｐがプリンタ部２に供給されるようになっている。
【００７１】
図２は、本発明に係る一実施形態の画像形成装置のドアを閉じた状態の全体の外観を示す斜視図、図３は、本発明に係る一実施形態の画像形成装置のドアを引き出して開いた状態の全体の外観を示す斜視図である。
画像形成装置１の装置本体２０の一側には、プリンタ部２に臨んで開閉可能なドア２１が配置され、ドア２１には転写ベルト８０を備えた転写ユニット８が搭載され、ドア２１は取手２２を有している。
【００７２】
また、画像形成装置１の装置本体２０の前面側には、プリンタ部２を覆う開閉可能な前側カバー２３が配置されている。
【００７３】
画像形成装置１の装置本体２０の前側カバー２３に隣接する上面には、入力操作を行うための操作部２４が配置されている。
【００７４】
さらに、画像形成装置１の装置本体２０の上には、定着ユニット２９から排紙された用紙Ｐを積み重ねて載置するための排紙部となる排紙トレイ２５が配置されている。
【００７５】
ドア２１は、画像形成装置１の装置本体２０に装着されたアキュライド（登録商標）などのレール部材２６により引き出し構造となっている。
【００７６】
次に、画像形成装置１の転写ユニット８について説明する。
図４は、本発明に係る一実施形態の画像形成装置のドアを閉じて転写ユニットの転写部材が像担持体に当接している状態を示す概略構成図、図５は、本発明に係る一実施形態の画像形成装置のドアを閉じて転写ユニットの転写部材が像担持体から離間している状態を示す概略構成図、図６は、本発明に係る一実施形態の画像形成装置のドアを開いた状態を示す概略構成図である。
転写ユニット８は、転写ベルト８０と、駆動ローラ８１と、ベルトテンションローラ８２と、転写ローラ８３と、転写ユニット揺動フレーム８４と、２本のスプリング８５とを備えている。
【００７７】
本実施形態の転写ユニット８のベルト部分は、図４に示すように、ゴムなどの弾性体で作られた無端状の転写ベルト８０と、この転写ベルト８０を適度なテンションで張架する駆動ローラ８１と、ベルトテンションローラ８２と、転写バイアス電圧を印加する転写ローラ８３とを含んで構成されている。
【００７８】
転写ユニット８の転写ベルト８０全体は、転写ユニット揺動フレーム８４の駆動ローラ軸受（図示せず）に回動可能に支持され、転写ユニット揺動フレーム８４内にある２本のスプリング８５（図４は正面図のため、１本しか図示されていない）によって揺動自在に支持されている。
このスプリング８５により、転写ベルト８０部分は、転写ユニット揺動フレーム８４に対して独立して揺動する。
これは、厚さの厚い用紙Ｐが転写位置に来た時に、スプリング８５が縮んで転写ベルト８０が転写ユニット揺動フレーム８４の内側へ少しだけ移動し、転写ユニット８の転写ベルト８０と感光体ドラム４との間を厚い用紙Ｐが通過できるようにするためである。
【００７９】
転写ユニット８の転写ローラ８３の両端には、カラー（図示しない）が取り付けられており、このカラーが感光体ドラム４の両端外周に当たることにより、転写ベルト８０（あるいは転写ローラ８３）と感光体ドラム４とのニップ量が一定に保たれ、およそ４００ｇ重の力で転写ユニット８の転写ベルト８０が感光体ドラム４に押圧される。
【００８０】
図４の転写ユニット８中には図示していないが、転写ユニット揺動フレーム８４の転写ローラ８３側にはストッパが配置されており、ストッパは、転写ユニット８の転写ベルト８０が感光体ドラム４から離間する時に、スプリング８５の抗力によって感光体ドラム４側へ転写ユニット８のベルト部分が一定距離以上移動するのを防ぐ。
【００８１】
次に、画像形成装置１の転写ユニット８の支持機構について説明する。
図４に示すように、転写ユニット揺動フレーム８４の両端の転写ユニット保持部分８６は、ドア２１に固定された転写ユニットホルダー６１に差し込まれ、且つ、転写ユニット揺動フレーム８４の駆動ローラ軸受は、感光体ドラム４のハウジング４０の位置決め部となるＵ字部４１に回動可能に支持されている。
【００８２】
転写ユニット８の転写ベルト８０がスプリング８５により感光体ドラム４に押圧されている時、転写ユニット揺動フレーム８４は、４本の押圧スプリング６０（図４は正面図のため、２本しか図示されていない）によって、後述する作動用レバー３０の先端におよそ１．５Ｋｇ重の力で押圧されて支持されている。
【００８３】
以下、転写ユニット８の転写ベルト８０の感光体ドラム４への接触動作について説明する。
まず、モータＭを用いた離接機構３５について説明する。
ここで説明する離接機構３５は、ジャムが発生した時、又は、ドア２１が開けられたことをドロアースイッチＳＷが検出した時に、転写ユニット８の転写ベルト８０を感光体ドラム４から離間し、ドア２１が閉じられたことをドロアースイッチＳＷが検出すると、転写ユニット８の転写ベルト８０が感光体ドラム４とゆっくり接触するというものである。
【００８４】
画像形成装置１の離接機構３５は、シャフト３６を有し、シャフト３６にはカム３７と３枚の翼３８と３枚の翼３９が固定されている。
【００８５】
画像形成装置１において、通常、ユーザーが転写ユニット８の搭載されたドア２１を開く時は、ジャム発生が原因で、感光体ドラム４や定着ユニット２９上に滞留している用紙Ｐを取り除く時である。
【００８６】
そこで、モータＭを用いた離接機構３５の説明をジャム発生時を一例に説明する。
例えば、用紙Ｐが一対のレジストローラ２８の上流で詰まった場合、用紙搬送検知センサ９０により画像形成装置１の装置本体２０内部での用紙詰まりを検知する。
この検知により、モータＭは駆動され、モータＭのモータ軸（図示せず）が時計回りに回転する。
【００８７】
図４に示すように、モータＭのモータ軸には、カム３７と翼３８，３９が固定された離接機構３５のシャフト３６が連結されている。
【００８８】
モータＭを駆動すると、モータＭのモータ軸が回転し、離接機構３５のシャフト３６がモータＭのモータ軸と共に回転することにより、カム３７及び翼３８，３９がシャフト３６と共に回転し、カム３７の回転により、作動用レバー３０が軸３１を中心にドア２１の方向へ回動し始める。
この時、作動用レバー３０の先端部は、転写ユニット揺動フレーム８４の一部を引っ掛け、転写ユニット８をドア２１方向へ駆動ローラ８１の駆動ローラ軸８７周りに回動させ、転写ユニット８の転写ベルト８０が感光体ドラム４から離間する。
【００８９】
転写ユニット８の転写ベルト８０が規定の距離だけドア２１側へ引き寄せられると、転写ユニット位置検知センサ９１が離接機構３５のシャフト３６に固定された一方の３枚の翼３８のうちの１枚を検知し、これにより、モータＭの駆動を停止し、モータＭのモータ軸の回転及び離接機構３５のシャフト３６の回転が止まり、カム３７と翼３８，３９の回転も止まり、作動用レバー３０の回動が止まり、転写ユニット８の回動も止まる。（図５参照）
【００９０】
なお、上記実施形態では、作動用レバー３０は、転写ユニット揺動フレーム８４の一部を引っ掛けているが、転写ユニット８の転写ベルト８０部分の一部を直接引っ掛けても良い。
【００９１】
ユーザーが取手２２を引いてドア２１を開け（図６参照）、ジャム処理を行った後、再びドア２１を閉める。
ドア２１を閉める時は、転写ユニット８の転写ベルト８０は、感光体ドラム４から離間する位置に退避しているため、ドア２１が閉じることによって、転写ユニット８の転写ベルト８０が感光体ドラム４に強く当接することはない。
【００９２】
ドア２１が完全に閉まると（図５参照）、ドア２１と画像形成装置１の装置本体２０の接触部分に取り付けられているドロアースイッチＳＷがオンになる。
これにより、モータＭが駆動され、モータＭのモータ軸が時計回りに回転し始める。
【００９３】
モータＭのモータ軸の回転により、離接機構３５のシャフト３６がモータＭのモータ軸と共に回転し、カム３７及び翼３８，３９がシャフト３６と共に回転し、カム３７の回転により、作動用レバー３０が軸３１を中心に感光体ドラム４側へ回動し始める。
【００９４】
転写ユニット８は、押圧スプリング６０の付勢力によって、常に感光体ドラム４側へ押圧されているため、作動用レバー３０の回動に伴い、転写ユニット８も駆動ローラ８１の駆動ローラ軸８７を中心に感光体ドラム４側へ回動し始める。
そして、転写ユニット８の転写ベルト８０が感光体ドラム４に当接する。
【００９５】
転写ユニット８が規定の押圧で感光体ドラム４と接する位置に到達すると、転写ユニット位置検知センサ９２が離接機構３５のシャフト３６に固定された他方の３枚の翼３９のうちの１枚を検知し、これにより、モータＭの駆動を停止し、モータＭのモータ軸の回転及び離接機構３５のシャフト３６の回転が止まり、カム３７と翼３８，３９の回転も止まり、作動用レバー３０の回動が止まり、転写ユニット８の回動も止まる。（図４参照）
【００９６】
上記実施形態では、ジャムが発生した位置を一対のレジストローラ２８の上流を一例に説明したが、画像形成装置１の給紙部，排紙部，ドア反転ユニットなどでも同様に上記の機構を使用できる。
また、転写ユニット８を離間させるために用いた作動用レバー３０は、板金を材料としたが、他の材料を用いても良い。
【００９７】
また、本実施形態では、転写ユニット８の転写ベルト８０を感光体ドラム４から離間するきっかけを、用紙搬送検知センサ９０が用紙詰まりを検知した時、又は、ドア２１が開放された時とした、これは、ジャムの発生時以外にも、ユーザーがドア２１を開けることがあるためである。
その際は、画像形成装置１の装置本体２０に取り付けられたドア２１の開閉を検出するドロアースイッチＳＷがオフになった時を、転写ユニット８の転写ベルト８０を感光体ドラム４から離間するきっかけとしている。
【００９８】
また、本実施形態では、転写ユニット８の転写ベルト８０を感光体ドラム４から離間させる駆動源としてモータＭを用いたが、駆動源にソレノイドを用いても良い。
【００９９】
次に、本発明に係る一実施形態の画像形成装置の用紙搬送検知センサについて説明する。
以下、用紙搬送検知センサ９０について詳細に説明する。
上記で述べたように、画像形成装置１の装置本体２０内の一対のレジストローラ２８の上流でのジャムに備えて、図４に示すように、一対のレジストローラ２８の上流に反射型の用紙搬送検知センサ９０を取り付ける。
【０１００】
反射型の用紙搬送検知センサ９０は、常に光を出しており、用紙Ｐが用紙搬送検知センサ９０の位置に搬送されてきて、用紙Ｐにセンサの光を反射されると、用紙搬送検知センサ９０がオンになり、用紙Ｐが一対のレジストローラ２８から転写位置へと移動して、センサの光が反射されなくなると、用紙搬送検知センサ９０がオフになる。
【０１０１】
ジャムが発生すると、一定時間を過ぎても用紙搬送検知センサ９０がオフにならない。
用紙搬送検知センサ９０がオンになっている時間が一定時間を越えると同時に、
上記モータＭが駆動され、モータＭのモータ軸が回転し始め、転写ユニット８の転写ベルト８０が感光体ドラム４から離間する。
【０１０２】
用紙搬送検知センサ９０は、反射型に限らず、遮光型、用紙Ｐに直接接触させるアクチュエータ一体遮光型など、他のセンサでも代用できる。
【０１０３】
次に、本発明に係る一実施形態の画像形成装置の転写ユニット位置検知センサについて、図７及び図８を用いて説明する。
以下、転写ユニット位置検知センサ９１，９２について詳細に説明する。
図７は、本発明に係る一実施形態の画像形成装置の転写ユニットの転写部材が離接手段により規定の距離だけドア側へ引き寄せられている時の状態を示す概略斜視図、図８は、本発明に係る一実施形態の画像形成装置の転写ユニットの転写部材が付勢手段の規定の付勢力により像担持体側へ押圧されている時の状態を示す概略斜視図である。
モータＭのモータ軸に連結した離接機構３５のシャフト３６には、転写ユニット位置検知センサ９１として用いている遮光型センサの光を遮ることができる位置に、３枚の翼３８が固定して取り付けられている。
【０１０４】
また、離接機構３５のシャフト３６には、転写ユニット位置検知センサ９２として用いている遮光型センサの光を遮ることができる位置に、３枚の翼３９が固定して取り付けられている。
【０１０５】
離接機構３５のシャフト３６の近傍には、翼３８及び翼３９に臨む位置に転写ユニット位置検知センサ９１及び転写ユニット位置検知センサ９２が配設されている。
【０１０６】
図７は、離接機構３５のカム３７及び翼３８，３９が回転して、転写ユニット８の転写ベルト８０が作動用レバー３０の回動により規定の距離だけドア２１側へ引き寄せられ、一方の３枚の翼３８のうちの１枚のみが転写ユニット位置検知センサ９１の間に入り込み、他方の３枚の翼３９の全てが転写ユニット位置検知センサ９２の間より外れ、翼３８が転写ユニット位置検知センサ９１の光を遮光した時の状態を示している。
【０１０７】
通常の印字状態では、転写ユニット位置検知センサ９１として用いている遮光型センサは、翼３８により光を遮られていないため、常にオンになっており、翼３８が転写ユニット位置検知センサ９１の間を通過する際に光を遮られるとオフになる。
また、転写ユニット位置検知センサ９２として用いている遮光型センサは、翼３９により光を遮られているため、常にオフになっており、翼３９が転写ユニット位置検知センサ９２の光を遮らないとオンになる。
【０１０８】
さらに、ジャムの発生時又はドア２１の開放時では、転写ユニット位置検知センサ９１として用いている遮光型センサは、翼３８により光を遮られているため、常にオフになっており、翼３８が転写ユニット位置検知センサ９１の光を遮らないとオンになる。
また、転写ユニット位置検知センサ９２として用いている遮光型センサは、翼３９により光を遮られていないため、常にオンになっており、翼３９が転写ユニット位置検知センサ９２の間を通過する際に光を遮られるとオフになる。
【０１０９】
ジャムが発生し、モータＭのモータ軸が回転し始めると、離接機構３５のシャフト３６がモータＭのモータ軸と共に回転し、それに伴いカム３７及び翼３８，３９もシャフト３６と共に回転する。
モータＭのモータ軸が回転し始めてから、最初の翼３８が転写ユニット位置検知センサ９１の間を通過する際に光を遮ると、転写ユニット位置検知センサ９１がオフになる。
【０１１０】
転写ユニット位置検知センサ９１がオフになると、モータＭの駆動を停止し、モータＭのモータ軸の回転が止まる。
【０１１１】
この時、転写ユニット位置検知センサ９２は、翼３９により光を遮られていないため、オンになっており、翼３９が転写ユニット位置検知センサ９２の間を通過する際に光を遮るとオフになる。
【０１１２】
転写ユニット位置検知センサ９１の光を遮る３枚の翼３８は、作動用レバー３０が転写ユニット８の転写ベルト８０を感光体ドラム４から規定の距離だけ離間する位置まで回動した時に、転写ユニット位置検知センサ９１の光を遮るような離接機構３５のシャフト３６の所定位置に固定されている。
【０１１３】
図８は、作動用レバー３０の回動と共に、転写ユニット８の転写ベルト８０が押圧スプリング６０による規定の押圧で感光体ドラム４に当接する位置まで駆動ローラ８１の駆動ローラ軸８７を中心に回動し、一方の３枚の翼３８の全てが転写ユニット位置検知センサ９１の間より外れ、他方の３枚の翼３９のうちの１枚のみが転写ユニット位置検知センサ９２の間に入り込み、翼３９が転写ユニット位置検知センサ９２の光を遮光した時の状態を示している。
【０１１４】
ユーザーがジャムの処理を行った後、ドア２１を完全に閉めると、モータＭのモータ軸が回転し始める。
モータＭのモータ軸が回転し始めると、離接機構３５のシャフト３６がモータＭのモータ軸と共に回転し、それに伴いカム３７及び翼３８，３９もシャフト３６と共に回転する。
モータＭのモータ軸が回転し始めてから、最初の翼３９が転写ユニット位置検知センサ９２の間を通過して光を遮ると、転写ユニット位置検知センサ９２がオフになる。
【０１１５】
転写ユニット位置検知センサ９２がオフになると、モータＭの駆動を停止し、モータＭのモータ軸の回転は止まる。
【０１１６】
この時、転写ユニット位置検知センサ９１は、翼３８により光を遮られていないため、オンになっており、翼３８が転写ユニット位置検知センサ９１の間を通過する際に光を遮るとオフになる。
【０１１７】
転写ユニット位置検知センサ９２の光を遮る３枚の翼３９は、作動用レバー３０が転写ユニット８の転写ベルト８０を感光体ドラム４に規定の力で押圧する位置まで回動した時に、転写ユニット位置検知センサ９２の光を遮るような離接機構３５のシャフト３６の所定位置に固定されている。
【０１１８】
なお、本実施形態では、カム３７の回転位置をシャフト３６に備えた翼３８，３９により検出することで、転写ユニット８の位置を検出しているが、直接転写ユニット８の位置を検出できるように検出器を配置させても良い。
【０１１９】
次に、本発明に係る一実施形態の画像形成装置の緩衝手段を用いた離接機構について説明する。
以下、空気ダンパ装置５０を用いた離接機構３５について詳細に説明する。
図９は、本発明の一実施形態に係る画像形成装置のドアを閉じた直後に緩衝手段によって転写ユニットの転写部材が像担持体から離間している状態を示す概略構成図、図１０は、本発明の一実施形態に係る画像形成装置のドアを閉じて転写ユニットの転写部材が像担持体と当接している状態を示す概略構成図である。
画像形成装置１の装置本体２０には、転写ユニット８の転写ローラ８３の近傍に転写ユニット揺動フレーム８４の押圧スプリング６０の押圧による感光体ドラム４方向への回動を阻止するためのストッパ７０が配置されている。
【０１２０】
また、画像形成装置１の装置本体２０には、ストッパ７０の側部に転写ユニット８の転写ベルト８０を感光体ドラム４にショックを与えずにゆっくりと当接させるための空気ダンパ装置５０が配置されている。
【０１２１】
空気ダンパ装置５０は、空気孔調整部５２を有するシリンダ５１と、シリンダ５１内に移動自在に設けられたピストン板５３と、ピストン板５３に固設された転写ユニット８の転写ユニット揺動フレーム８４の回動を規制するためのロッド５４と、シリンダ５１内に配設されたピストン板５３をドア２１方向に向って付勢する復帰バネ５５とを備えている。
【０１２２】
図９は、画像形成装置１のドア２１を閉じた直後に、空気ダンパ装置５０によって転写ユニット８の転写ベルト８０が感光体ドラム４と離間している状態を示したものである。
【０１２３】
図１０は、画像形成装置１のドア２１を閉じて、転写ユニット８の転写ベルト８０が感光体ドラム４と当接している状態を示したものである。
【０１２４】
図１０に示すように、転写ユニット揺動フレーム８４の両端の転写ユニット保持部分８６は、ドア２１に固定された転写ユニットホルダー６１に差し込まれ、且つ、転写ユニット揺動フレーム８４の駆動ローラ軸受は、感光体ドラム４のハウジング４０の位置決め部となるＵ字部４１に回動可能に支持されている。
【０１２５】
およそ１．５Ｋｇ重の感光体ドラム４方向への力の４本の押圧スプリング６０（図１０は正面図のため、２本しか図示されていない）によって、転写ユニット揺動フレーム８４は、ストッパ７０に押し当てられ支えられている。
【０１２６】
この時、転写ユニット８の転写ローラ８３の両端のカラーが感光体ドラム４の両端外周に当接しているため、転写ユニット８の転写ベルト８０（あるいは転写ローラ８３）は、感光体ドラム４に対しておよそ４００ｇ重の一定の力で押圧されている。
【０１２７】
ここで説明する空気ダンパ装置５０を用いた離接機構３５は、ユーザーが何らかの要因によってドア２１を開けて、再びドア２１を閉める際、転写ユニット８の転写ベルト８０は、感光体ドラム４に接触する前に、画像形成装置１の装置本体２０側に取り付けられた空気ダンパ装置５０によって感光体ドラム４から離間する位置までドア２１側に退避させられ、ドア２１が完全に閉じた後に、空気ダンパ装置５０のロッド５４がシリンダ５１内の空気（エアー）と復帰バネ５５の抗力に抗しながら徐々に縮退し、転写ユニット８の転写ベルト８０が感光体ドラム４にゆっくりと接触するというものである。
【０１２８】
空気ダンパ装置５０は、図９に示すように、シリンダ５１、ピストン板５３、ロッド５４、復帰バネ５５、並びに、空気孔調整部５２からなっており、空気ダンパ装置５０は、ロッド５４の先端が転写ユニット８の一部である転写ユニット揺動フレーム８４の下方に張り出した張出片の両端部に当接するような画像形成装置１の装置本体２０側の適当な位置にそれぞれ１個（合計２個）取り付けられている。
【０１２９】
ユーザーがドア２１を閉じる時、転写ユニット８の転写ベルト８０が感光体ドラム４に当接する前に、空気ダンパ装置５０のロッド５４の先端は、転写ユニット８の一部である転写ユニット揺動フレーム８４の下方に張り出した張出片の両端部に当接する。
【０１３０】
ドア２１を完全に閉めた直後は、空気ダンパ装置５０のロッド５４の抗力となるシリンダ５１内の空気と復帰バネ５５の抗力が、転写ユニット８を感光体ドラム４方向へ押圧している押圧スプリング６０の付勢力よりも大きいため、転写ユニット８はドア２１側へ押しやられる。
【０１３１】
その後、空気孔調整部５２から空気ダンパ装置５０内の空気が外部に除々に逃がされ、空気ダンパ装置５０のロッド５４の抗力が小さくなっていく。
それに伴い、押圧スプリング６０の感光体ドラム４方向への付勢力により、転写ユニット８はゆっくりと駆動ローラ８１の駆動ローラ軸８７を中心に回動して、転写ユニット揺動フレーム８４の張出片がストッパ７０に接触し、転写ユニット８は感光体ドラム４に対して位置決めされる。
【０１３２】
その時、転写ユニット８の転写ローラ８３の両端のカラーは、感光体ドラム４の両端外周に当接し、転写ユニット８の転写ベルト８０（あるいは転写ローラ８３）は、感光体ドラム４に対して一定の力で押圧される。
【０１３３】
したがって、ユーザーが勢いよくドア２１を閉めたとしても、空気ダンパ装置５０により転写ユニット８の転写ベルト８０が一時的に感光体ドラム４から離間し、その後、ゆっくりと転写ユニット８の転写ベルト８０が感光体ドラム４へ接触しにいくので、転写ユニット８の転写ベルト８０は感光体ドラム４に強く当たることはない。
【０１３４】
ユーザーがドア２１を再び開けると、空気ダンパ装置５０のピストン板５３は、復帰バネ５５の付勢力と空気孔調整部５２から空気ダンパ装置５０のシリンダ５１内に吸入されるエアーの力で、再び元の位置（図９の位置）まで移動する。
【０１３５】
ちなみに、図１０に示す状態の時の空気ダンパ装置５０の復帰バネ５５の付勢力は、１００ｇ重以下であり、押圧スプリング６０の付勢力に対して大幅に小さい。
【０１３６】
上記に記載の本実施形態では、転写ユニット８の転写ベルト８０が感光体ドラム４に当接するように離接機構３５をモータＭを回転させて動作させるタイミングを、ドロアースイッチＳＷがオフからオンに変わってから後の比較的短い時間経過後のタイミングとしたが、ドロアースイッチＳＷがオフからオンに切換わってから画像形成動作が開始されるまでの間であればいつでも構わないので、例えば、ジャム後の画像形成動作の開始を行うために、プリントキー等が押されてから当接動作を開始しても構わない。
【０１３７】
本発明に係る一実施形態の画像形成装置の緩衝手段として空気ダンパ装置を用いたが、緩衝手段としては、他の方式のダンパ装置、例えば、磁気式，オイル式などのダンパ装置を用いても構わない。
【０１３８】
図１１は、本発明に係る他の実施形態の転写ユニットの転写部材が転写ローラの場合の画像形成装置の概略断面を示す構成図である。
図１に示した実施形態の画像形成装置１では、転写ユニット８の転写部材として転写ベルト８０を用いて説明したが、本実施形態の画像形成装置１００は、図１１に示すように、転写ベルト８０を用いずに、転写ユニット８の転写部材として転写ローラ８８を用いたものである。
【０１３９】
また、本実施形態の画像形成装置１００は、転写ユニット８の転写部材が転写ベルト８０から転写ローラ８８に替り、用紙Ｐの搬送ベルトユニット１１０を別に設ける構成の他は、図１に示した転写ユニットの転写部材として転写ベルトを用いたものと同様であり、詳しい断面及び動作の説明は省く。
【０１４０】
なお、転写ユニットの転写部材としては、転写ブラシなどを用いても良い。
【０１４１】
【発明の効果】
本発明によれば、開放されたドアを閉じる際に、転写ユニットの転写部材が像担持体に当接しないようにドアを閉じることができ、ドアを閉じる際に生じる転写ユニットの転写部材と像担持体との強接触を回避し、像担持体及び転写ユニットの転写部材の双方に大きなショックが与えられることもなく、像担持体や転写ユニットの転写部材の損傷を避けることができ、像担持体の寿命を長く保ち、良好な画像形成を長期間維持することが可能な画像形成装置を得ることができる。
【図面の簡単な説明】
【図１】本発明に係る一実施形態の転写ユニットの転写部材が転写ベルトの場合の画像形成装置の概略断面を示す構成図。
【図２】本発明に係る一実施形態の画像形成装置のドアを閉じた状態の全体の外観を示す斜視図。
【図３】本発明に係る一実施形態の画像形成装置のドアを引き出して開いた状態の全体の外観を示す斜視図。
【図４】本発明に係る一実施形態の画像形成装置のドアを閉じて転写ユニットの転写部材が像担持体に当接している状態を示す概略構成図。
【図５】本発明に係る一実施形態の画像形成装置のドアを閉じて転写ユニットの転写部材が像担持体から離間している状態を示す概略構成図。
【図６】本発明に係る一実施形態の画像形成装置のドアを開いた状態を示す概略構成図。
【図７】本発明に係る一実施形態の画像形成装置の転写ユニットの転写部材が離接手段により規定の距離だけドア側へ引き寄せられている時の状態を示す概略斜視図。
【図８】本発明に係る一実施形態の画像形成装置の転写ユニットの転写部材が付勢手段の規定の付勢力により像担持体側へ押圧されている時の状態を示す概略斜視図。
【図９】本発明の一実施形態に係る画像形成装置のドアを閉じた直後に緩衝手段によって転写ユニットの転写部材が像担持体から離間している状態を示す概略構成図。
【図１０】本発明の一実施形態に係る画像形成装置のドアを閉じて転写ユニットの転写部材が像担持体と当接している状態を示す概略構成図。
【図１１】本発明に係る他の実施形態の転写ユニットの転写部材が転写ローラの場合の画像形成装置の概略断面を示す構成図。
【符号の説明】
１  画像形成装置
２  プリンタ部（画像形成部）
３  給紙ユニット部（給紙部）
４  感光体ドラム（像担持体）
５  帯電ユニット
６  光走査ユニット
７  現像ユニット
８  転写ユニット
９  クリーニングユニット
１０  現像剤供給部
１１  給紙トレイ（第１の記録媒体供給部）
１２  給紙トレイ（第２の記録媒体供給部）
１３  給紙トレイ（第３の記録媒体供給部）
１４  給紙トレイ（第４の記録媒体供給部）
１５  第１搬送経路
１５ａ  ガイド
１６  第２搬送経路
１６ａ  ガイド
１７  フレーム
１８  手差し給紙ユニット（第５の記録媒体供給部）
１９  第３搬送経路
２０  装置本体
２１  ドア
２２  取手
２３  前側カバー
２４  操作部
２５  排紙トレイ（排紙部）
２６  レール部材
２７  電子写真プロセス部
２８  レジストローラ
２９  定着ユニット
３０  作動用レバー（離間手段）
３１  軸
３５  離接機構
３６  シャフト
３７  カム
３８  翼
３９  翼
４０  ハウジング
４１  Ｕ字部（位置決め部）
５０  空気ダンパ装置（緩衝手段）
５１  シリンダ
５２  空気孔調整部
５３  ピストン板
５４  ロッド
５５  復帰バネ
６０  押圧スプリング（付勢手段）
６１  転写ユニットホルダー
７０  ストッパ
８０  転写ベルト（転写部材）
８１  駆動ローラ
８２  ベルトテンションローラ
８３  転写ローラ
８４  転写ユニット揺動フレーム
８５  スプリング
８６  転写ユニット保持部分
８７  駆動ローラ軸
８８  転写ローラ（転写部材）
９０  用紙搬送検知センサ
９１  転写ユニット位置検知センサ
９２  転写ユニット位置検知センサ
１００  画像形成装置
１１０  搬送ベルトユニット
Ｍ  モータ（駆動源）
Ｐ  用紙（記録部材）
ＳＷ  ドロアースイッチ（ドア開閉検出手段）
【図１】
2005004132.tif 000003
【図２】
2005004132.tif 000004
【図３】
2005004132.tif 000005
【図４】
2005004132.tif 000006
【図５】
2005004132.tif 000007
【図６】
2005004132.tif 000008
【図７】
2005004132.tif 000009
【図８】
2005004132.tif 000010
【図９】
2005004132.tif 000011
【図１０】
2005004132.tif 000012
【図１１】
2005004132.tif 000013